(57)【要約】【課題】広い敷地と多額の設備及び人員を必要とせず、一人で手軽に球技打撃練習が出来、且つグランド及び室内の床でも練習が出来る球技打撃装置を提供する事。【解決手段】球取付金具（２）並びに下力吸収アーム（４）で、回転力及び下方向への力を吸収し、ローラー架台（６）並びにガイドレール（７）で前進力を完全に吸収する事により柱（１０）と四脚（１１）に振動が伝わらない。その事によって定位置からのズレを防止する。  【選択図】      図１
2007000597.tif 000002
【特許請求の範囲】
【請求項１】
擬似ボール（１）を固定する球取付金具（２）が２軸で水平方向３６０度回転及び上下１８０度回転させる事により打力で四脚（１１）に伝わる振動を弱め、並びに擬似ボール（１）が一定時間内により下限位置に戻る事を特徴とする装置。
【請求項２】
請求項１記載で吸収できなかった下方向への引っ張り力を吸収するために下力吸収アーム（４）上部先端部分にアーム（３）を取り付けた装置。
【請求項３】
請求項２記載が吸収出来なかった水平方向の回転力を吸収するためにローラー架台（６）にアーム取付金具（５）をベアリングで結合し下力吸収アーム（４）並びにアーム（３）が打球方向へおおよそ３５度から４５度迄一軸回転する装置。
【請求項４】
請求項３記載が吸収出来なかった打球方向への回転残力を吸収するためにローラー架台（６）に取り付けたスライド式ベアリングが、おおよそ５度から１０度の上り勾配に設定されたガイドレール内部で打球方向へ走行する。又、ブラケット（８）とガイドレール（７）の接合部分が一軸回転で接合する事により１８０度回転するため左右打者に適応した装置。
【発明の詳細な説明】
【技術分野】
【０００１】
本発明は、球技の打撃練習に使用される打撃練習マシンである。詳細は、ボールの吊元からローラー架台にかけて三軸回転し回転力を吸収し又、ローラー架台が打球方向
へ移動する事により残った回転力を吸収する。これらを請求項１〜４構造の各部分装置で全体を形成する事により軽量化した本体はプロの選手がフルスイングしても微
動だにしない。又、分解組立が瞬時に行えるため子供でも簡単に持ち運ぶ事ができ、狭い屋内や屋外で球技打撃本来の目的を達成しうる球技打撃装置に関する。
【背景技術】
【０００２】
従来より球技打撃練習は、ネットを張る等の設備の元、投手及び打撃相手と打撃練習が行われていた。
【０００３】
一定設備で補助員が斜め４５度から投げて打つ球技打撃練習が行われていた。
【発明の開示】
【発明が解決しようとする課題】
【０００４】
一般的に球技打撃練習の目的は次の２項目です。（１）フォームの矯正（２）ミートポイントの確認。しかしながら従来より行なわれている球技打撃においては、ある一定以上のスペースが必要でありボールをセットしたり、ボールを投げたり、又ネット張り及び球拾いをする補助員も必要であった。
【０００５】
斜め４５度方向から投げる球を打ってもあまり効果的練習とは考えられない。つまり目線が投手方向ではなくそれより４５度内側に入った目線となり微妙にずれを生じたフォームになるからです。又、手投げするボールは一定のミートポイントには来ないためミートポイントの確認にもならなかった。
【０００６】
本発明は、上記の点に鑑み広い敷地とネットを張る事や球拾いをする労力も必要とせず且つ、補助員も必要とせず屋内屋外をとわずリラックスした赴きで、現行能力を把握出来、手軽に且つ安全に球技打撃練習を行う事ができる球技打撃装置を提供する事を目的とする。
【課題を解決するための手段】
【０００７】
上記課題を解決するために本発明の球技打撃装置は擬似ボールを打撃した時に擬似ボールにかかる大きな負荷荷重によって生じるモーメントを吸収する装置の組み合わせにより構成されている。
【０００８】
擬似ボールを打撃して生じるモーメントを二つに大別すると地面方向へ垂直に引っ張る力と、柱を中心として回転する力である。
【０００９】
それらを解決するために、装置全体の先端部分である擬似ボールの吊元は、球取付金具により吊られているため、ミート角度に逆らう事なく自在に回転する事ができる。
【００１０】
この時に生じる地面方向へ垂直に引っ張る力に対して球取付金具に接続しているアーム及び下力吸収アームにより吸収する。
【００１１】
次に項目（０００７）及び（０００８）で吸収しきれない水平方向への回転力を吸収するために一辺がおおよそ３５度から４５度に曲がったローラー架台にアーム取付金具を取り付け柱に対して水平方向におおよそ３５度から４５度まで回転させる事により回転力を吸収する。
【００１２】
最後の回転残力はローラー架台に取り付られた車輪式ベアリングがおおよそ５度から８度の上り勾配に設定されたガイドレール内を打球方向に上昇することにより吸収され（０００７）、（０００８）、（０００９）が再び元の位置に戻るしくみである。
【発明の効果】
【００１３】
本発明の打撃装置は上述の構成とする事で以下に示す効果を奏しうる。
【００１４】
擬似ボールを打っても構成する球取り付け金具（２）アーム（３）下力吸収アーム（４）アーム取付金具（５）ローラー架台（６）が重力により瞬時に元の位置に戻るので何回も続けて球技打撃練習が行える。
【００１５】
フォームのチェック及びその矯正を行い且つミートポイントのチェック及び確認が行える。
【００１６】
フルスイングしても地面又は、床面に設置した４脚はずれる事なく微動だにしないので屋内外問わず、一人で球技打撃練習ができる。
【発明を実施するための最良の形態】
【００１７】
図１の全体姿図において、柱とそれを支える四脚（１１）の柱ジョイント部（１２）
は取り外し可能となっている。四脚部（１１）は、柱ジョイント部（１２）を持ち上げるとスライド補強板（１３）がスライドし収納できる構造となっている。
【００１８】
図４に示される実施例おいて、ブラケット（８）は締め付け金具（９）とガイドレール（７）を取り付ける回転軸を持つ構造となっている。締め付け金具（９）は、金具が開いて柱の任意の高さに固定する事ができる。ガイドレール（７）は水平方向に１８０度回転しブラケット（８）に設けた固定金具（１４）で固定すれば、左右両打者が打てる構造となっている。
【００１９】
図３に示される実施例において大小数個のベアリングを備えたローラー架台（６）は、左右対称に鈍角に曲げられており、アーム取付金具（５）が打球方向におおよそ３５度から４５回転する事のできる長穴と回転軸を有する構造となっている。
【００２０】
図２に示される実施例においてアーム取り付け金具（５）はローラー架台（６）に取り付けるビス穴とローラー架台に設けた長穴を滑るベアリングを取り付けるビス穴及び、アームを取り付け固定するためのフック穴とビス穴を有する構造となっている。
【００２１】
アーム（３）及び下力吸収アーム（４）は図２に示す用に、丸バネを挟み込んでいる２枚の長板バネ材と球取り付け金具（２）を取り付ける長板バネ材とで構成されている。一体化したアーム（３）及び下力吸収アーム（４）をローラー架台（６）の左右に設けたアーム取り付け金具（５）に取り替える事により左右両打者が打てる構造となっている。
【００２２】
球取付金具（２）は図２に示す用にコ字となっており、アーム（３）にビスで接続され一軸回転し又、異なる方向でボールを吊るので２軸回転となりその結果自由な方向に回転する事ができる構造となっている。
【図面の簡単な説明】
【００２３】
【図１】球技打撃装置全体姿図である。
【００２４】
【図２】擬似ボールを取り付ける各構造部の実施例を示す平面及び側面図である。
【００２５】
【図３】ローラー架台の実施例を示す平面図及び側面図である。
【００２６】
【図４】ガイドレール及びブラケットの実施例を示す平面図及び側面図である。
【符号の説明】
【００２７】
１  擬似ボール
２  球取付金具
３  アーム
４  下力吸収アーム
５  アーム取付金具
６  ローラー架台
７  ガイドレール
８  ブラケット
９  締め付け金具
１０柱
１１四脚
１２柱ジョイント
１３スライド補強板
１４固定金具
【図１】
2007000597.tif 000003
【図２】
2007000597.tif 000004
【図３】
2007000597.tif 000005
【図４】
2007000597.tif 000006